(57)【要約】【目的】本発明は、フェンスの耐久性が高く、設置が容易で、且つ風に対応することができる多機能用のフェンス、及び多機能用のフェンスの立設方法を提供することを目的とする。【解決手段】目隠し用、緑化用等に使用すべく、所望の間隔で埋設された基礎ブロックに立設した支柱と、該支柱間に取り付けられた格子状の網体と、該網体に絡ませるつる科の植物から構成された多機能用のフェンスにおいて、前記網体を吊り張りされる繊維状のネットで構成し、且つ前記支柱の下方で地面に並行な位置には、つる科の植物のつるを所望の位置でつる返しする返し板が設けられている。【選択図】図１
2014101741.tif 000002
【特許請求の範囲】
【請求項１】
目隠し用、緑化用等に使用すべく、所望の間隔で埋設された基礎ブロックに立設した支柱と、隣り合う支柱間に取り付けられた格子状の網体と、該網体に絡ませるつる科の植物から構成された多機能用のフェンスにおいて、前記網体を吊り張りされる繊維状のネットで構成し、且つ前記隣り合う支柱間の下方間で地面に並行な位置には、つる科の植物のつるを所望の位置でつる返しする返し板が設けられていることを特徴とする多機能用のフェンス。
【請求項２】
目隠し用、緑化用等に使用する設置空間に沿って複数の基礎ブロックを所望の間隔で埋設し、該基礎ブロックに所望の長さの支柱を取り付け、該隣り合う支柱間に格子状の網体を取り付けた後、つる科の植物を網体に絡めることで立設する多機能用のフェンスの立設方法において、前記網体を繊維状のネットを隣り合う支柱間に取り外し可能に吊り張りした、隣り合う支柱の下方側で地面に並行につる科の植物のつるをつる返しする返り板を取り付けることを特徴とする多機能用のフェンスの立設方法。
【発明の詳細な説明】
【技術分野】
【０００１】本発明は、防塵、防砂、目隠し、緑化等に用いる多機能用のフェンス及び多機能用のフェンスの立設方法に関する。
【背景技術】
【０００２】従来、家の外周に目隠し用や、緑化用として使用するフェンスは、塀に外周に沿って立設したフェンスに沿ってつる科の植物を絡ませたフェンスがある。【０００３】上記フェンスは、家の外周に所定間隔をおいて埋設した基礎ブロックと、該基礎ブロックに立設した支柱と、該支柱間に取付具を介してさし渡された格子目状の金網と、該金網の下端には横方向にわたって溝状又は環状の保持部とから構成されている。【０００４】上記保持部には、つる科の植物として、キンポウゲ科（カザグルマ、センニチソウ、ボタンズル等）、ブドウ科（ツタ、ウドカズラ、ヤブガラシ等）、ウルシ科（ツタウルシ）、バラ科（ナワシロイチゴ、ナニワイバラ等）、マメ科（ノアズキ、ツルマメ、クズ等）、ウリ科（カラスウリ、キカラスウリ等）、アケビ科（アケビ、ミツバアケビ等）等を用いる。【０００５】上記金網につる科の植物を絡ませることで目隠し、又は緑化用として使用する。
【発明が解決しようとする課題】
【０００６】上記従来のフェンスは、金網全体につる科の植物が絡みつき、金網の格子目の隙間がなく目隠し、又は緑化用としては適するものの、強風の場合にフェンス全面で風を受け止め破損、又は倒壊の危険がある。
【０００７】また、金網部分が劣化した場合には、その取替えを行うが金網が金属性であるために、錆び等によりその取り外し作業が煩雑である。
【０００８】そこで、本発明は、フェンスの耐久性が高く、設置が容易で、且つ風に対応することのできる多機能用のフェンス、及び多機能用のフェンスの立設方法を提供することを課題とする。
【課題を解決するための手段】
【０００９】本発明は、上記課題を解決するための多機能用のフェンスは、請求項１に記載のように、目隠し用、緑化用等に使用すべく、所望の間隔で埋設された基礎ブロックに立設した支柱と、該隣り合う支柱間に取り付けられた格子状の網体と、該網体に絡ませるつる科の植物から構成された多機能用のフェンスにおいて、前記網体を吊り張りされる繊維状のネットで構成し、且つ前記隣り合う支柱の下方間で地面に並行な位置には、つる科の植物のつるを所望の位置でつる返しする返し板が設けられていることを特徴とする。
【００１０】また、上記課題を解決するための多機能用のフェンスの立設方法は、目隠し用、緑化用等に使用する設置空間に沿って複数の基礎ブロックを所望の間隔で埋設し、該基礎ブロックに所望の長さの支柱を取り付け、隣り合う支柱間に格子状の網体を取り付けた後、つる科の植物を格子状体に絡めることで立設する多機能用のフェンスの立設方法において、前記網体を繊維状のネットを取り外し可能に吊り張りした後、隣り合う支柱の下方側で地面に並行につる科の植物のつるをつる返しする返り板を取り付けることを特徴とする。
【発明の作用及び効果】
【００１１】本発明の多機能用のフェンス、及び多機能用のフェンスの立設方法の作用効果を説明する。
【００１２】先ず、請求項１に記載の多機能用のフェンスは、設置空間部の外周に沿って所望の間隔で複数の基礎ブロックを埋設し、該基礎ブロックに穿孔した孔にそれぞれ支柱を立設し、該隣り合う支柱間に格子状の網体を取り付けた後、該網体につる科の植物を絡ませることで多機能用のフェンスを構成する。
【００１３】この際、前記網体を繊維状のネットで構成し、該ネットを隣り合う支柱間に吊り張りすることで取り付けるために、支柱への取り付け及び取り外しが容易であり、風の影響を受ける場合は、ネット部分を取り外しフェンスの倒壊、破損を防ぐことができる。
【００１４】次に、隣り合う支柱の下方間で地面と並行な位置に、返し板を取り付ける。
【００１５】これにより、つる科の植物のつる部分を返し板で上方への成長を阻止し、常に返し板部分までの緑化用として、また、目隠し用等として適切に使用することができる。
【００１６】このように、本発明の多機能用のフェンスは、設置が容易で風に対応することができる効果がある。
【００１７】次に、請求項２に記載の多機能用のフェンスの立設方法は、設置空間の外周に沿って複数の基礎ブロックを所望の間隔で地面に埋設する。
【００１８】そして、前記基礎ブロックに穿孔した孔に支柱を挿入し、コンクリートで固定することで支柱を立設する。
【００１９】その後、前記隣り合う支柱間に格子状の網体を取り付ける。この際、網体は繊維状のネットを用いることで、支柱に取り外し可能に吊り張りすることができ、風の強い日に容易にネットを取り外すことができる。
【００２０】そして、前記隣り合う支柱の下方間で地面に並行に位置に返し板を設けることで地面に植えたつる科の植物のつるを返し板部分でつる返しすることができ、目隠し用、緑化用等の目的に応じて、所望の高さの位置までつる科の植物を絡ませることができる。
【００２１】また、返し板より上部側のみネットを取り外すことで、さらに容易にネットを取り外すことができる。
【００２２】このように、多機能用のフェンスの立設が容易であり、スムーズな作業を行うことができる。
【発明を実施するための形態】
【００２３】本発明の多機能用のフェンス、及び多機能用のフェンスの立設方法の一実施例について説明する。
【００２４】図１は、本発明の多機能用のフェンスの一実施例を示す概略正面図であり、図２は図１の多機能用のフェンスの概略側面図であり、図３は多機能用のフェンスの立設方法を示すフローチャートを示す。
【００２５】本発明の多機能用のフェンス１は、地中に埋設し、上方側の面に孔３の穿孔された矩形状の基礎ブロック２と、該基礎ブロック２の孔３に下端側を挿入しコンクリートで固定する支柱４と、隣り合う支柱４間に取り付けられた格子状の網体５と、該網体５に絡ませるつる科の植物１０と、隣り合う支柱４間の下方側で地面に並行に返し板６を取り付ける。
【００２６】前記隣り合う支柱４間の上下方向には、それぞれ固定枠７（７Ａ，７Ｂ）を金具等で固定するとともに支柱４間にＸ状に補給体８を取り付ける。
【００２７】前記網体５は固定枠７（７Ａ，７Ｂ）に取り付けられた連結具（図示せず）を介して隣り合う支柱４間に吊り張りする。
【００２８】前記網体５を繊維状のネットで構成し連結具を介して支柱４間に取り付ける。このため、網体５は連結具を開放するだけで、容易に支柱４より取り外しすることができる。
【００２９】また、網体５をネットで構成することで該ネットにつる科のつるが絡み易い。
【００３０】前記返り板６は、側面が略への字状に形成され、つる部分の上方への延びを遮断することができる。このため、返り板６を設置する高さを決定することで、間隠し用、緑化用等の目的に応じて設置することができる。尚、返り板６の形状は略への字の形状に限定されるものでなく、半円弧状でもよい。要は、先端側が下方へ傾斜した形状であれば特に問うものでない。
【００３１】また、返り板６より上部側の格子状体５のネット部分のみ取り外すことで更に容易に網体５の部分取り外しにより、早く風の影響を軽減することができる。
【００３２】本発明の多機能用のフェンス１は上記のように構成され、次に該フェンス１を設置空間部の外周に沿って緑地用として設ける場合について説明する。
【００３３】先ず、設置空間の外周に沿って所望の間隔で地面を掘り起こして基礎ブロック２を埋設し、該基礎ブロック２の孔３に支柱４の下端側を挿入した後、コンクリートで孔３に固定する。
【００３４】その後、前記支柱４の上下両端側固定枠７（７Ａ，７Ｂ）を取り付けるとともに隣り合う支柱４と上下固定枠７（７Ａ，７Ｂ）で形成された矩形部分の強度を保つために補強体８をＸ字状に取り付ける。
【００３５】そして、隣り合う支柱４間にネットからなる網体５を固定枠７（７Ａ，７Ｂ）に取り付けた連結具（図示せず）を介して吊り張りする。
【００３６】この際、網体５がネットで構成されているために、網体５の吊り張りが金属網より容易であり、また、網体５の取り外しも容易である。
【００３７】次に、目的に応じて返し板６の高さを調整し地面に並行に支柱４間に金具を介して取り付ける。即ち、目隠し用とする場合は支柱４の高い位置に、緑化用とする場合は、比較的支柱４の下方側に調整する。
【００３８】その後、つる科の植物を地面に沿って植え、網体５に絡みながら成長するが、返し板６部分でその成長が阻止される。
【００３９】これにより、フェンス１の目的に応じたフェンス１を立設することができる。
【００４０】また、地形的に風の影響を受け易い場合は、返し板６を支柱４間の下方側に調整することで、つる科の植物が密生した状態でも網体５の上部側にはつる科の植物が絡まっていないために、風の影響を受けにくい。
【００４１】さらに、台風等の強風の場合は、網体５の上部部分のネットを上部固定枠７Ａより取り外し、さらに風の影響を削減することができる。
【００４２】このように、本発明の多機能用のフェンス１は使用目的に応じてつる科の植物の網体５への絡む高さを自在に調整することができる。
【００４３】また、網体５がネットであるために、自在に支柱４より取り外し風の影響を削減することができ、フェンス１の倒壊、又は破損を防ぐことができる。
【図面の簡単な説明】
【００４４】
【図１】本発明の多機能用のフェンスの一実施例を示す概略説明正面図
【図２】図１の多機能用のフェンスの概略説明側面図
【図３】本発明の多機能用のフェンスの立設方法を示すフローチャート
【符号の説明】
【００４５】１−フェンス、２−基礎ブロック、４−支柱、５−網体、６−返し板
【図１】
2014101741.tif 000003
【図２】
2014101741.tif 000004
【図３】
2014101741.tif 000005